(57)【特許請求の範囲】
【請求項１】
断熱壁内に前面に開口する陳列室を構成し、この陳列室内を仕切部材にて上下に仕切ることにより、上陳列部及び下陳列部を構成して成るショーケースにおいて、
前記下陳列部の底部に構成された冷却室と、この冷却室内に配設された冷却器及び送風機と、前記冷却室の両側部にそれぞれ形成された冷気吐出口及び冷気吸込口と、前記仕切部材の両側部に形成され、前記上下陳列部をそれぞれ連通する連通部と、各連通部に設けられた開閉自在のダンパーとを備え、該ダンパーの先端部には先細り形状の変形部材が設けられていることを特徴とするショーケース。
【請求項２】
冷気吐出口から上昇し、仕切部材の連通部下方にて下陳列部内に開放する冷気吐出ダクトを構成したことを特徴とする請求項１のショーケース。
【発明の詳細な説明】
【０００１】
【発明の属する技術分野】
本発明は、断熱壁内に前面に開口する陳列室を構成し、この陳列室内を仕切部材にて上下に仕切ることにより、上陳列部及び下陳列部を構成して成るショーケースに関するものである。
【０００２】
【従来の技術】
この種の従来のショーケースは、断熱壁内に前面に開口する陳列室が構成されており、この前面開口には開閉自在に閉塞されるガラス扉が設けられている。また、この断熱壁の後面には、後面開口が形成されており、係る後面開口には同じく開閉自在に閉塞されるガラス扉が設けられている。そして、陳列室内は、断熱仕切板などによって複数の陳列室に区画されており、それぞれの陳列室は、冷却器や電気ヒータなどによってそれぞれの温度帯に設定されている。
【０００３】
一方、上述の如きショーケースは、例えば、駅の売店やコンビニエンスストアなどの店舗に設置される場合があり、係る場合には、一台のショーケースに、パンやサンドイッチ等の食品類と共に、飲料類などが陳列されることがある。
【０００４】
【発明が解決しようとする課題】
しかしながら、従来のショーケースでは、複数の陳列室が形成されていた場合であっても、これらの陳列室は、飲料類を冷却温度又は加熱温度とするのみであり、陳列室内に飲料類に適した冷却温度を形成すると共に、パンやサンドイッチ又は米飯類に適した冷却温度を形成することはできない問題があった。
【０００５】
そのため、冷却温度として設定される陳列室内に、飲料類及びパンやサンドイッチ類を同一の温度に陳列することとなり、飲料類に適した冷却温度に陳列室内を冷却すると、パンやサンドイッチ類は、過冷却となり、品質が劣化する問題があった。また、パンやサンドイッチ類の過冷却を回避するために、陳列室内の温度をパンやサンドイッチ類に適した冷却温度に設定すると、飲料類に適した温度よりも高い温度となり、商品価値が低下する問題があった。
【０００６】
そこで、本発明は従来の技術的課題を解決するために成されたものであり、上陳列部及び下陳列部をそれぞれ異なる温度環境を形成することができるショーケースを提供することを目的とする。
【０００７】
【課題を解決するための手段】
本発明のショーケースは、断熱壁内に前面に開口する陳列室を構成し、この陳列室内を仕切部材にて上下に仕切ることにより、上陳列部及び下陳列部を構成して成るものであって、下陳列部の底部に構成された冷却室と、この冷却室内に配設された冷却器及び送風機と、冷却室の両側部にそれぞれ形成された冷気吐出口及び冷気吸込口と、仕切部材の両側部に形成され、上下陳列部をそれぞれ連通する連通部と、各連通部に設けられた開閉自在のダンパーとを備え、該ダンパーの先端部には先細り形状の変形部材が設けられていることを特徴とする。
【０００８】
本発明によれば、断熱壁内に前面に開口する陳列室を構成し、この陳列室内を仕切部材にて上下に仕切ることにより、上陳列部及び下陳列部を構成して成るショーケースにおいて、下陳列部の底部に構成された冷却室と、この冷却室内に配設された冷却器及び送風機と、冷却室の両側部にそれぞれ形成された冷気吐出口及び冷気吸込口と、仕切部材の両側部に形成され、上下陳列部をそれぞれ連通する連通部と、各連通部に設けられた開閉自在のダンパーとを備えたので、上陳列部及び下陳列部にそれぞれ陳列される商品に対応してダンパーの開閉を行うことにより、上陳列部及び下陳列部をそれぞれ異なる温度環境を形成することができるようになる。
【０００９】
また、ダンパーを開放することにより、上陳列部及び下陳列部は同じ温度環境を形成することができるようになる。そして、ダンパーを閉鎖することにより、上陳列部への冷気の流入を抑え、下陳列部のみ積極的に冷却することができるようになり、上陳列部には、比較的温度の高い冷却環境を形成することができると共に、下陳列部には、上陳列部に比べて低い温度の冷却環境を形成することができるようになる。特に、ダンパーの先端部には先細り形状の変形部材を設けたので、この変形部材の密着によって連通部を閉塞することができるようになる。
【００１０】
請求項２の発明のショーケースは、請求項１の発明に加えて、冷気吐出口から上昇し、仕切部材の連通部下方にて下陳列部内に開放する冷気吐出ダクトを構成したことを特徴とする。
【００１１】
請求項２の発明によれば、請求項１の発明に加えて、冷気吐出口から上昇し、仕切部材の連通部下方にて下陳列部内に開放する冷気吐出ダクトを構成したので、冷気吐出口から吐出された冷気を連通部及び下陳列部上部に吐出することができるようになる。
【００１２】
これにより、バンパーが開放された状態では、冷気吐出口から吐出された冷気は連通部を通過して上陳列部内により一層循環し易くすることができるようになると共に、下陳列部内においても、上方から冷気を循環させることにより下陳列部の冷却効率を向上させることができるようになる。
【００１３】
【発明の実施の形態】
以下、図面に基づいて本発明の実施形態を詳述する。図１は本発明を適用したショーケース１の正面図、図２はショーケース１の背面図、図３はショーケース１の斜視図、図４はショーケース１の縦断側面図を示している。ショーケース１は、駅の売店やコンビニエンスストアなどに設置される冷却／加温ショーケースであり、前面に開口した断熱箱体（断熱壁）２より本体が構成されている。この断熱箱体２は前面に開口する鋼板製の外箱３と、この外箱３内に間隔を存して組み込まれた前面に開口する鋼板若しくは硬質合成樹脂製の内箱４と、外箱３及び内箱４間に発泡充填された発泡ポリウレタンから成る断熱材５とから構成されている。
【００１４】
そして、内箱４内の例えば中央よりやや上方には、断熱箱体２の前方から後方に渡って断熱仕切板１０が形成されており、係る断熱仕切板１０の上方には第１陳列室６が形成され、断熱仕切板１０の下方には第２陳列室１１が形成されている。そして、第１陳列室６に対応する断熱箱体２の背面には、後面開口１２が形成されており、係る後面開口１２は、透視可能とされる引き戸式のガラス扉１３、１４によって開閉自在に閉塞されている。また、第２陳列室１１に対応する断熱箱体２の背面には、後面開口１５が形成されており、係る後面開口１５は、同じく透視可能とされる引き戸式のガラス扉１６、１７によって開閉自在に閉塞されている。
【００１５】
また、断熱箱体２の前面開口７は、前面開口７の上端から下端に渡って透視可能とされる観音開き式のガラス扉８、９によって開閉自在とされる。ここで、図５を参照してガラス扉８、９の閉塞状態を説明する。図５は第２陳列室１１におけるショーケース１の横断平面図を示している。断熱箱体２の前面開口７の中央には、上下に渡って支柱２５が設けられている。
【００１６】
係る支柱２５は、例えば断熱材によって構成される柱状の部材であり、この支柱２５の前面は、前記ガラス扉８、９のそれぞれの開放側の側部後面と密着することにより、陳列室６及び１１内を閉塞している。
【００１７】
更に、この支柱２５の両側面は、上下に渡って、支柱２５の後部において相互に近接する方向に傾斜した傾斜面２６が形成されている。
【００１８】
これにより、支柱２５付近に陳列される商品Ｓであっても、支柱２５の側面等によって遮ることなく、ショーケース１前面からガラス扉８及び９を透視し、商品Ｓの銘柄等を表示した所謂フェイス面をアピールすることができるようになる。また、ショーケース１の前面全体から商品Ｓをアピールすることによりディスプレイ効果を向上させることができるようになり、顧客の購買意欲を増加させることができるようになる。
【００１９】
一方、第１陳列室６内には、後方から前方に向けて徐々に傾斜して架設される棚２０が複数段設けられており、これらの棚２０の前端には、商品を保持するための商品保持部材１９が形成されている。また、この商品保持部材１９には、係る棚２０上に陳列される商品のプライス等を表示するための掲示部材が設けられているものとする。また、第１陳列室６の前部であって前面開口７付近には、第１陳列室６内を照明するための照明装置２４が設置されている。
【００２０】
ここで、第１陳列室６内に架設される最下段の棚２０の下方には、前記断熱仕切板１０上面との間に第１陳列室６の冷却室２１が形成されている。この冷却室２１内には、別置きで設置される図示しない圧縮機及び凝縮器等と所謂冷凍サイクルを構成する冷却装置の冷却器２２が設置されている。そして、この冷却器２２の近傍には、この冷却器２２にて冷却された冷気を第１陳列室６内に吐出するための送風機２３が設置されている。また、係る冷却室２１には、図示しない電気ヒータが設置されている。
【００２１】
以上の構成により、第１陳列室６内を低温として使用する際には、図示しないコントロールパネルを操作することにより、第１陳列室６内の冷却を行う。これにより、別置きとされた圧縮機が運転されることにより冷却室２１に設置された冷却器２２が冷却され、係る冷却器２２によって、冷却室２１の空気が冷却される。また、前記送風機２３が運転されることにより、冷却器２２によって冷却された冷気は、第１陳列室６内に吐出される。第１陳列室６内に吐出された冷気は第１陳列室６内を循環した後、最下段の棚２０の前端から冷却室２１内に帰還する。これによって、第１陳列室６内は所定の温度に冷却される。
【００２２】
また、第１陳列室６内を加温として使用する際には、コントロールパネルを操作することにより、前記図示しない電気ヒータによって第１陳列室６内の加温を行う。これにより、第１陳列室６内は、所定の温度に加温される。
【００２３】
尚、第１陳列室６と第２陳列室１１とは、断熱仕切板１０によって区画されているため、両陳列室６、１１から生じる熱の移動は無いものとする。
【００２４】
他方、第２陳列室１１内には、例えば略中央に前方から後方に渡って、詳細は後述する仕切部材としての断熱仕切板３０が設けられている。これにより、第２陳列室１１には、断熱仕切板３０より上方に上陳列部３１が形成され、断熱仕切板３０より下方に下陳列部３２が形成される。上陳列部３１及び下陳列部３２内には、それぞれ棚３３が架設されている。本実施例では棚３３は上陳列部３１及び下陳列部３２にそれぞれ一段ずつ架設されているが、複数であってもよい。また、これらの棚３３及び断熱仕切板３０の前端には、前記棚２０と同様に商品を保持するための商品保持部材３４が形成されており、係る棚３３上に陳列される商品のプライス等を表示するための掲示部材が設けられているものとする。また、第２陳列室１１の前部であって前面開口７付近には、第２陳列室１１内を照明するための照明装置３５が設置されている。
【００２５】
ここで、第２陳列室１１の下陳列部３２の底部には、断熱箱体２の底部と所定の間隔を存してデックパン３６が設けられおり、このデックパン３６の下方には、断熱箱体２の底部との間に第２陳列室１１の冷却室３７が形成されている。この冷却室３７内には、別置きで設置される図示しない圧縮機及び凝縮器等と所謂冷凍サイクルを構成する冷却装置の冷却器３８が設置されている。そして、この冷却器３８の近傍には、係る冷却器３８にて冷却された冷気を第２陳列室１１内に吐出するための送風機３９が設置されている。
【００２６】
また、デックパン３６の一方の側端部には、第２陳列室１１と連通する冷気吐出口４０が形成されていると共に、他方の側端部には、同じく第２陳列室１１と連通する冷気吸込口４１が形成されている。そして、冷気吐出口４０が形成される断熱箱体２の側壁には、係る側壁と所定間隔を存して冷気ダクト板５０が形成されている。そして、この冷気ダクト板５０と断熱箱体２の側壁との間には、冷気吐出ダクト４２が形成されている。この冷気吐出ダクト４２は下端が冷却室３７と連通して形成される冷気吐出ダクト４２と連通して形成されると共に、上端は、断熱仕切板３０の少許下方まで形成されており、上方に開放されている。更に、この冷気吐出ダクト４２は、下陳列部３２に架設された棚３３及び断熱仕切板３０の下方に対応する位置にそれぞれ冷気吹出口４３が複数形成されている。
【００２７】
また、断熱仕切板３０の両側端部には、図６に示される如く上陳列部３１と下陳列部３２を連通させるための連通部４４、４５がそれぞれ形成されており、係る連通部４４、４５には、それぞれダンパー４６、４７が設けられている。
【００２８】
ここで、図８及び図９を参照してダンパー４６、４７について説明する。図８はダンパー４６を開いた状態のダンパー４６の正面図、図９はダンパー４６を閉じた状態のダンパー４６の正面図を示している。図８及び図９において、４８は断熱仕切板３０を断熱箱体２の側壁に保持するための仕切板保持具であり、この仕切板保持部４８は、断熱仕切板３０と断熱箱体２との間に形成される前記連通部４４又は４５を閉塞しないものとする。
【００２９】
また、断熱仕切板３０の両側端部には、それぞれダンパー４６又は４７が設けられており、係るダンパー４６又は４７は、垂直方向から略９０度外方に向けて回動可能に構成されるものである。また、このダンパー４６又は４７の先端には、例えば軟質合成樹脂又はゴムなどによって構成される変形部材４９が設けられており、この変形部材４９は、先端方向に向けて先細り形状とされている。このダンパー４６又は４７は、外方に向けて略９０度外方に回動された際に、先端に形成される変形部材４９が断熱箱体２の側壁に密着し、変形部材４９が変形することによって連通部４４又は４５を閉塞するものとする。また、このダンパー４６及び４７は、例えば断熱箱体２の外方側の側壁に設けられるダンパー操作部によって、ダンパー４６又は４７の開閉操作を行うことにより、連通部４４又は４５の開閉を行う。
【００３０】
以上の構成により、第２陳列室１１の上陳列部３１及び下陳列部３２を同様に低温として使用する際には、先ず、前記図示しないダンパー操作部によって、ダンパー４６又は４７を垂直状態とし、連通部４４及び４５を開放する。そして、図示しないコントロールパネルを操作することにより、上陳列部３１及び下陳列部３２の冷却を行う。これにより、別置きとされた圧縮機が運転されることにより冷却室３７に設置された冷却器が冷却され、係る冷却器３８によって、冷却室の空気が冷却される。また、送風機３９が運転されることにより、冷却器３８によって冷却された冷気は、冷気吐出ダクト４２に吐出される。冷気吐出ダクト４２に吐出された冷気は冷気吐出ダクト４２内を上昇し、一部の冷気は、下陳列部３２に架設された棚３３及び断熱仕切板３０の下方に位置する冷気吹出口４３から吐出する。また、残りの冷気は、冷気吐出ダクト４２の上端開口から吐出された後、連通部４４を通過して上陳列部３１内に吐出される。
【００３１】
これにより、冷気吐出口４０から吐出された冷気は、断熱仕切板３０下方まで延在して形成された冷気吐出ダクト４２によって冷気を連通部４４に積極的に導くことができるようになり、上陳列部３１内に冷気を積極的に吐出することができるようになる。そのため、連通部４４を介して吐出された冷気は、上陳列部３１内を循環し、上陳列部３１内を冷却することができるようになる。
【００３２】
そして、上陳列部３１内を循環した冷気は、連通部４５を介して下陳列部３２内に流入される。その後、下陳列部３２内に流入した冷気は、下陳列部３２内に吐出された冷気と共に、下陳列部３２内を循環し、下陳列部３２内を冷却した後、冷気吸込口４１から冷却室３７内に帰還する。係る冷気の流れを繰り返すことにより、上陳列部３１及び下陳列部３２内は所定の温度に冷却される。
【００３３】
また、上陳列部３１内に例えばサンドイッチや米飯類などを陳列し、下陳列部３２内に飲料類などを陳列して使用する場合には、上陳列部３１内を比較的高い冷却温度とし、下陳列部３２内を比較的低い冷却温度とする必要がある。係る場合には、先ず、前記図示しないダンパー操作部によって、ダンパー４６又は４７を外方に向けて例えば９０度回動させた状態とし、連通部４４及び４５を閉鎖する。そして、図示しないコントロールパネルを操作することにより、上陳列部３１は消極的な冷却を行い、下陳列部３２は積極的な冷却を行う。
【００３４】
即ち、別置きとされた圧縮機が運転されることにより冷却室３７に設置された冷却器が冷却され、係る冷却器３８によって、冷却室の空気が冷却される。また、送風機３９が運転されることにより、冷却器３８によって冷却された冷気は、冷気吐出ダクト４２に吐出される。冷気吐出ダクト４２に吐出された冷気は冷気吐出ダクト４２内を上昇し、一部の冷気は、下陳列部３２に架設された棚３３及び断熱仕切板３０の下方に位置する冷気吹出口４３から吐出する。また、残りの冷気は、冷気吐出ダクト４２の上端開口から吐出された後、連通部４４が閉鎖されていることから、下陳列部３２内に吐出される。
【００３５】
これにより、下陳列部３２内に吐出された冷気は、下陳列部３２内を循環し、下陳列部３２内を冷却した後、冷気吸込口４１から冷却室３７内に帰還する。係る冷気の流れを繰り返すことにより、下陳列部３２内は所定の温度に冷却される。
【００３６】
このとき、前記ガラス扉８、９と、棚３３の前端及び断熱仕切板３０との間には、隙間が形成されていることから、下陳列部３２内を循環する冷気の一部は、上陳列部３１内に侵入される。これにより、上陳列部３１は、消極的な冷却を行うことができるようになり、比較的高い冷却温度の環境を形成することができるようになる。
【００３７】
以上の構成により、ダンパー４６、４７を開放することにより、上陳列部３１及び下陳列部３２は同じ温度環境を形成することができる。また、ダンパー４６、４７を閉鎖することにより、上陳列部３１への冷気の流入を抑え、下陳列部３２のみ積極的に冷却することができるようになり、上陳列部３１には、比較的温度の高い冷却環境を形成することができると共に、下陳列部３２には、上陳列部に比べて低い温度の冷却環境を形成することができる。
【００３８】
そのため、比較的高い冷却環境で冷却することが望ましいサンドイッチや米飯類などを上陳列部３１に陳列することができるようになると共に、比較的低い冷却環境で冷却することが望ましい飲料類などを下陳列部３２に陳列することができるようになる。これにより、一台のショーケース１に比較的高い冷却環境で冷却することが望ましいサンドイッチや米飯類と、比較的低い冷却環境で冷却することが望ましい飲料類を同時に陳列することができるようになり、特に、ショーケースの設置面積が限定される設置場所において好適なものとなる。
【００３９】
【発明の効果】
本発明によれば、断熱壁内に前面に開口する陳列室を構成し、この陳列室内を仕切部材にて上下に仕切ることにより、上陳列部及び下陳列部を構成して成るショーケースにおいて、下陳列部の底部に構成された冷却室と、この冷却室内に配設された冷却器及び送風機と、冷却室の両側部にそれぞれ形成された冷気吐出口及び冷気吸込口と、仕切部材の両側部に形成され、上下陳列部をそれぞれ連通する連通部と、各連通部に設けられた開閉自在のダンパーとを備えたので、上陳列部及び下陳列部にそれぞれ陳列される商品に対応してダンパーの開閉を行うことにより、上陳列部及び下陳列部をそれぞれ異なる温度環境を形成することができるようになる。
【００４０】
また、ダンパーを開放することにより、上陳列部及び下陳列部は同じ温度環境を形成することができるようになる。更にまた、ダンパーを閉鎖することにより、上陳列部への冷気の流入を抑え、下陳列部のみ積極的に冷却することができるようになり、上陳列部には、比較的温度の高い冷却環境を形成することができると共に、下陳列部には、上陳列部に比べて低い温度の冷却環境を形成することができるようになる。特に、ダンパーの先端部には先細り形状の変形部材を設けたので、この変形部材の密着によって連通部を閉塞することができるようになる。
【００４１】
請求項２の発明のショーケースは、請求項１の発明に加えて、冷気吐出口から上昇し、仕切部材の連通部下方にて下陳列部内に開放する冷気吐出ダクトを構成したので、冷気吐出口から吐出された冷気を連通部及び下陳列部上部に吐出することができるようになる。
【００４２】
これにより、バンパーが開放された状態では、冷気吐出口から吐出された冷気は連通部を通過して上陳列部内により一層循環し易くすることができるようになると共に、下陳列部内においても、上方から冷気を循環させることにより下陳列部の冷却効率を向上させることができるようになる。
【図面の簡単な説明】
【図１】  本発明のショーケースの正面図である。
【図２】  本発明のショーケースの背面図である。
【図３】  本発明のショーケースの斜視図である。
【図４】  本発明のショーケースの縦断側面図である。
【図５】  第２陳列室におけるショーケースの横断平面図である。
【図６】  ダンパーが開放された状態のショーケースの正面図である。
【図７】  ダンパーが閉鎖された状態のショーケースの正面図である。
【図８】  ダンパーが開放された状態のダンパーの拡大正面図である。
【図９】  ダンパーが閉鎖された状態のダンパーの拡大正面図である。
【符号の説明】
１  ショーケース
２  断熱箱体
６  第１陳列室
７  前面開口
８、９、１３、１４、１６、１７  ガラス扉
１０  断熱仕切板
１１  第２陳列室
１２、１５  後面開口
２０、３３  棚
２１、３７  冷却室
２２、３８  冷却器
２３、３９  送風機
２５  支柱
２６  傾斜面
３０  断熱仕切板
３１  上陳列部
３２  下陳列部
３５  照明装置
４０  冷気吐出口
４１  冷気吸込口
４２  冷気吐出ダクト
４３  冷気吹出口
４４、４５  連通部
４６、４７  ダンパー
４９  変形部材
【図１】
0003948891.tif 000002
【図２】
0003948891.tif 000003
【図３】
0003948891.tif 000004
【図４】
0003948891.tif 000005
【図５】
0003948891.tif 000006
【図６】
0003948891.tif 000007
【図７】
0003948891.tif 000008
【図８】
0003948891.tif 000009
【図９】
0003948891.tif 000010